(57)【特許請求の範囲】
【請求項１】
三種類以上の色数により構成される標準色インク、及び二種類以上の前記標準色インクを混合して得られる一種類以上の特色インクが用いられる画像形成であり、インクジェット方式による画像形成に適用されるカラープロファイルを作成するカラープロファイル作成方法であって、
標準色を表す第１標準色信号であり、インク総量制限条件が非適用の第１標準色信号から、インク総量制限条件が適用された第２標準色信号への変換関係を規定する第１テーブルを作成する第１テーブル作成工程と、
前記第１テーブルから出力される第２標準色信号から、前記第２標準色信号、及び複数の標準色信号が混合された特色信号を一種類以上含む第１拡張色信号であり、前記インク総量制限条件が適用された第１拡張色信号への変換関係を規定した第２テーブルを作成する第２テーブル作成工程と、
前記第２テーブルから出力される前記第１拡張色信号を、前記第１拡張色信号に対応するデバイス非依存色空間における色信号へ変換することにより求められた、デバイス依存色空間における色信号からデバイス非依存色空間における色信号への変換関係に基づいて、前記第１拡張色信号のうち前記第２標準色信号に対応する前記デバイス非依存色空間における色信号から、前記デバイス依存色空間における色信号への変換関係を規定した第３テーブルを作成する第３テーブル作成工程と、
前記第３テーブルにより規定された変換関係、及び前記第２テーブルにより規定された変換関係を用いて、前記第１拡張色信号のうち前記第２標準色信号に対応する前記デバイス非依存色空間における色信号から、前記デバイス依存色空間における複数の標準色信号が混合された特色信号を一種類以上含む第２拡張色信号への変換関係を規定するカラープロファイルである第４テーブルを作成する第４テーブル作成工程と、
を含むカラープロファイル作成方法。
【請求項２】
前記第２テーブル作成工程は、特色信号を構成する標準色信号の最大値を特色信号の最大値へ置き換える規則を作成する特色成分信号値置換規則作成工程を含む請求項１に記載のカラープロファイル作成方法。
【請求項３】
前記第２テーブル作成工程は、特色信号に置き換えられる複数の標準色信号の間の混合比率を取得する混合比率取得工程を含み、
前記特色成分信号値置換規則作成工程は、前記取得された混合比率に基づいて複数の標準色信号を特色信号へ置き換える規則を作成する請求項２に記載のカラープロファイル作成方法。
【請求項４】
前記特色成分信号値置換規則作成工程は、彩度Ｓに対する複数の標準色信号の置換比率を規定する関数ｆ（Ｓ）を用いて複数の標準色信号を特色信号へ置き換える規則を作成する請求項２又は３に記載のカラープロファイル作成方法。
【請求項５】
前記関数ｆ（Ｓ）は、予め決められた彩度以下の低彩度領域では、ｆ（Ｓ）＝０となる関数である請求項４に記載のカラープロファイル作成方法。
【請求項６】
前記特色成分信号値置換規則作成工程は、色相Ｈに対する複数の標準色信号の置換比率を規定する関数ｇ（Ｈ）を用いて複数の標準色信号を特色信号へ置き換える規則を作成する請求項２から５のいずれか一項に記載のカラープロファイル作成方法。
【請求項７】
前記関数ｇ（Ｈ）は、予め決められた第１色相値以上第２色相値以下の領域では、ｇ（Ｈ）＝１となる関数である請求項６に記載のカラープロファイル作成方法。
【請求項８】
前記第１標準色信号、及び第２標準色信号は、シアンを表すシアン信号、マゼンタを表すマゼンタ信号、イエローを表すイエロー信号、及び黒を表す黒信号から構成される請求項１から７のいずれか一項に記載のカラープロファイル作成方法。
【請求項９】
前記第１拡張色信号、及び前記第２拡張色信号は、オレンジを表すオレンジ信号、グリーンを表すグリーン信号、及びバイオレットを表すバイオレット信号の少なくともいずれかを含む請求項８に記載のカラープロファイル作成方法。
【請求項１０】
三種類以上の色数により構成される標準色インク、及び二種類以上の前記標準色インクを混合して得られる一種類以上の特色インクが用いられる画像形成であり、インクジェット方式による画像形成に適用されるカラープロファイルを作成するカラープロファイル作成プログラムであって、
コンピュータを、標準色を表す第１標準色信号であり、インク総量制限条件が非適用の第１標準色信号から、インク総量制限条件が適用された第２標準色信号への変換関係を規定する第１テーブルを作成する第１テーブル作成手段、
前記第１テーブルから出力される第２標準色信号から、前記第２標準色信号、及び複数の標準色信号が混合された特色信号を一種類以上含む第１拡張色信号であり、前記インク総量制限条件が適用された第１拡張色信号への変換関係を規定した第２テーブルを作成する第２テーブル作成手段、
前記第２テーブルを用いて前記第２標準色信号を前記第１拡張色信号へ変換し、前記第１拡張色信号を前記第１拡張色信号に対応するデバイス非依存色空間における色信号へ変換することにより求められた、デバイス依存色空間における色信号からデバイス非依存色空間への変換関係に基づいて、前記第１拡張色信号のうち前記第２標準色信号に対応する前記デバイス非依存色空間における色信号から、前記デバイス依存色空間における色信号への変換関係を規定した第３テーブルを作成する第３テーブル作成手段、
前記第３テーブルにより規定された変換関係、及び前記第２テーブルにより規定された変換関係を用いて、前記第１拡張色信号のうち前記第２標準色信号に対応する前記デバイス非依存色空間における色信号から、前記デバイス依存色空間における複数の標準色信号が混合された特色信号を一種類以上含む第２拡張色信号への変換関係を規定するカラープロファイルである第４テーブルを作成する第４テーブル作成手段、
として機能させるカラープロファイル作成プログラム。
【発明の詳細な説明】
【技術分野】
【０００１】
本発明はカラープロファイル作成方法、及びカラープロファイル作成プログラムに係り、特に一種類以上の特色インクを含むインクを用いて媒体にカラー画像を形成する画像形成に適用されるカラー画像信号の変換処理技術に関する。
【背景技術】
【０００２】
オフセット印刷の色を管理する方法として、ＩＣＣプロファイルを使ったカラーマネージメントシステムが知られている。ＩＣＣは、インターナショナルカラーコンソーシアムの略語である。
【０００３】
ＩＣＣプロファイルを使ったカラーマネージメントシステムでは、シアン、マゼンタ、イエロー、及び黒のそれぞれの信号に対応するパッチ、及びシアン、マゼンタ、イエロー、及び黒の少なくとも二種類の信号を組み合わせた信号に対するパッチを有するカラーチャートを生成し、生成されたカラーチャートを印刷し、媒体に印刷されたカラーチャートの測色値を求め、シアン、マゼンタ、イエロー、及び黒の信号値と、信号値の測色値に対応するＬａｂ値との変換関係を記述したカラープロファイルが作成される。
【０００４】
四色インクを用いて画像形成を行う場合のカラープロファイルの作成では、四色のインクが使用率１００パーセントで用いられる場合に、使用率の表示で４００パーセントのカラーパッチが印刷される。
【０００５】
オフセット印刷、及び電子写真方式の画像形成では、インクの使用率が４００パーセントのカラーパッチを含むチャートを問題なく印刷することができる。しかし、インクジェット方式の画像形成に媒体として使用される紙は、吸収することができるインク量に限界がある。一般的に、インクジェット方式の画像形成装置に使用される紙は、インクの使用率が２００パーセントから２５０パーセント程度のカラーパッチしか印刷をすることができない。
【０００６】
そのために、インクジェット方式の画像形成を行う場合は、インク総量制限条件を適用する画像処理が使用される。
【０００７】
ここで、使用率はインクの使用量を表す尺度である。ここでは、ＩＣＣプロファイルの形式に則り百分率で表している。使用率はインクをまったく使用しない場合を０パーセント、最大まで使用した場合を１００パーセントとしている。
【０００８】
インク総量制限条件を適用する画像処理として、ＧＣＲ処理によりシアンインク、マゼンタインク、及びイエローインクを黒インクに置き換えて、シアンインク、マゼンタインク、イエローインクを減らすことでインク総量を制限するものが挙げられる。
【０００９】
ＧＣＲ処理はグレイ変換とも呼ばれるものであり、グレイの部分からシアン、マゼンタ、イエローを取り除き、黒の濃淡のみでグレイを表現する処理である。ＧＣＲは、Ｇｒａｙ−Ｃｏｍｐｏｎｅｎｔ  Ｒｅｐｌａｃｅｍｅｎｔの略語である。
【００１０】
また、他のインク総量制限条件を適用する画像処理として、単色階調の信号、及び二次色以上の信号のそれぞれに対して、インク総量上限値以内に収まるように処理をする方法が挙げられる。
【００１１】
特許文献１には、媒体に付与されるインク量を制限する目的で信号値を変換するために用いられる色材総量制限テーブルの作成方法及びプログラムが記載されている。特許文献１に記載の色材総量制限テーブルの作成方法及びプログラムは、インク総量上限値から色再現領域境界のインク総量の割り当てを行い、色再現領域全体のインク総量制限条件を決めている。なお、特許文献１に記載の色材は、インク、及びトナーを含む概念である。
【００１２】
ところで、近年、画像形成装置等の出力デバイスにおいて、シアン、マゼンタ、イエロー、及び黒のプロセス色に加えて、プロセス色以外の特色が用いられる。特色として、オレンジ、グリーン、バイオレットなどが挙げられる。
【００１３】
特許文献２は、シアン、マゼンタ、イエロー、及び黒のプロセス色に加えて、オレンジ、及びグリーンを用いた色変換定義作成装置及び色変換定義作成プログラムが記載されている。
【先行技術文献】
【特許文献】
【００１４】
【特許文献１】特開２０１４−６８１９８号公報
【特許文献２】特開２００７−３２９７３７号公報
【発明の概要】
【発明が解決しようとする課題】
【００１５】
しかしながら、特許文献１に記載の色材総量制限テーブルの作成方法及びプログラムは、一種類以上の特色を含むインクが用いられる場合にはそのまま適用することができず、新たなインク総量制限方法に基づき新たな方法でカラープロファイルを作成することが必要である。
【００１６】
特許文献２に記載の色変換定義作成装置及び色変換定義作成プログラムは、Ｌａｂ値からシアン、マゼンタ、イエロー、黒、オレンジ、及びグリーンの信号への変換関係のテーブルを作るために、一旦、シアン、マゼンタ、イエロー、黒、オレンジ、及びグリーンの信号からＬａｂ値へのテーブルを作成し、シアン、マゼンタ、イエロー、黒、オレンジ、及びグリーンの信号からＬａｂ値への変換の逆変換を行うことで、Ｌａｂ値からシアン、マゼンタ、イエロー、黒、オレンジ、及びグリーンの信号への変換を求めている。
【００１７】
そのため、シアン、マゼンタ、イエロー、黒、オレンジ、及びグリーンの信号値の組み合わせに対するＬａｂ値を求めるチャートを印刷し、印刷されたチャートの測色値から色空間の変換テーブルを作ることが必要である。
【００１８】
そして、シアンインク、マゼンタインク、イエローインク、黒インク、オレンジインク、及びグリーンインクの組み合わせのうち、インク総量制限条件の上限値未満のパッチのみを印刷し、印刷されたパッチの測色によって得られたＬａｂ値を基にインク総量制限条件の上限を超えた領域のＬａｂ値を予測しながらカラープロファイルを作成するといった複雑な演算が必要である。
【００１９】
本発明はこのような事情に鑑みてなされたもので、インク総量制限条件の上限を超えた領域のＬａｂ値を予測する複雑な予測演算を行うことなく、特色信号を含む色信号のカラープロファイルを作成しうるカラープロファイル作成方法、及びカラープロファイル作成プログラムを提供することを目的とする。
【課題を解決するための手段】
【００２０】
上記目的を達成するために、第１態様は、三種類以上の色数により構成される標準色インク、及び二種類以上の標準色インクを混合して得られる一種類以上の特色インクが用いられる画像形成であり、インクジェット方式による画像形成に適用されるカラープロファイルを作成するカラープロファイル作成方法であって、標準色を表す第１標準色信号であり、インク総量制限条件が非適用の第１標準色信号から、インク総量制限条件が適用された第２標準色信号への変換関係を規定する第１テーブルを作成する第１テーブル作成工程と、第１テーブルから出力される第２標準色信号から、第２標準色信号、及び複数の標準色信号が混合された特色信号を一種類以上含む第１拡張色信号であり、インク総量制限条件が適用された第１拡張色信号への変換関係を規定した第２テーブルを作成する第２テーブル作成工程と、第２テーブルから出力される第１拡張色信号を、第１拡張色信号に対応するデバイス非依存色空間における色信号へ変換することにより求められた、デバイス依存色空間における色信号からデバイス非依存色空間における色信号への変換関係に基づいて、第１拡張色信号のうち第２標準色信号に対応するデバイス非依存色空間における色信号から、デバイス依存色空間における色信号への変換関係を規定した第３テーブルを作成する第３テーブル作成工程と、第３テーブルにより規定された変換関係、及び第２テーブルにより規定された変換関係を用いて、第１拡張色信号のうち第２標準色信号に対応するデバイス非依存色空間における色信号から、デバイス依存色空間における複数の標準色信号が混合された特色信号を一種類以上含む第２拡張色信号への変換関係を規定するカラープロファイルである第４テーブルを作成する第４テーブル作成工程と、を含むカラープロファイル作成方法を提供する。
【００２１】
第１態様によれば、インク総量制限条件を満たさない領域における複雑な予測演算を行うことなく、インク総量制限条件が適用された標準色信号におけるデバイス非依存色空間からデバイス依存色空間への変換関係、及びインク総量制限条件が適用された標準色信号から、インク総量制限条件が適用された一種類以上の特色を含む拡張色信号への変換関係を用いて、一種類以上の特色を含む拡張色信号におけるデバイス非依存色空間からデバイス依存色空間への変換関係を規定したカラープロファイルを作成することができる。
【００２２】
第２態様は、第１態様に記載のカラープロファイル作成方法において、第２テーブル作成工程は、特色信号を構成する標準色信号の最大値を特色信号の最大値へ置き換える規則を作成する特色成分信号値置換規則作成工程が含まれる。
【００２３】
第２態様によれば、特色インクの優れた発色性能を最大限に発揮させることができる。
【００２４】
第３態様は、第２態様に記載のカラープロファイル作成方法において、第２テーブル作成工程は、特色信号に置き換えられる複数の標準色信号の間の混合比率を取得する混合比率取得工程を含み、特色成分信号値置換規則作成工程は、取得された混合比率に基づいて複数の標準色信号を特色信号へ置き換える規則を作成する。
【００２５】
第３態様によれば、標準色を特色へ置き換える際に、特色においてもインク総量制限条件が満たされる。
【００２６】
第４態様は、第２態様又は第３態様に記載のカラープロファイル作成方法において、特色成分信号値置換規則作成工程は、彩度Ｓに対する複数の標準色信号の置換比率を規定する関数ｆ（Ｓ）を用いて複数の標準色信号を特色信号へ置き換える規則を作成する。
【００２７】
第４態様によれば、彩度に応じて標準色の混合色を用いる場合と、特色を用いる場合とを切り換えることができる。
【００２８】
第５態様は、第４態様に記載のカラープロファイル作成方法において、関数ｆ（Ｓ）は、予め決められた彩度以下の低彩度領域では、ｆ（Ｓ）＝０となる関数である。
【００２９】
第５態様によれば、低彩度領域では標準色インクの混合色を用いることで、標準色インクの組み合わせによる色表現の色バランスを用いて中間階調を再現でき、中間階調における修正が必要となった場合に、標準色の調整で対応することができ、調整における操作性がよくなる。
【００３０】
第６態様は、第２態様から第５態様のいずれかに記載のカラープロファイル作成方法において、特色成分信号値置換規則作成工程は、色相Ｈに対する複数の標準色信号の置換比率を規定する関数ｇ（Ｈ）を用いて複数の標準色信号を特色信号へ置き換える規則を作成する。
【００３１】
第６態様によれば、色相に応じて標準色の混合色を用いる場合と、特色を用いる場合とを切り換えることができる。
【００３２】
第７態様は、第６態様に記載のカラープロファイル作成方法において、関数ｇ（Ｈ）は、予め決められた第１色相値以上第２色相値以下の領域では、ｇ（Ｈ）＝１となる関数である。
【００３３】
第７態様によれば、予め決められた第１色相値以上第２色相値以下の領域では特色インクが使用される。
【００３４】
第８態様は、第１態様から第７態様のいずれかに記載のカラープロファイル作成方法において、第１標準色信号、及び第２標準色信号は、シアンを表すシアン信号、マゼンタを表すマゼンタ信号、イエローを表すイエロー信号、及び黒を表す黒信号から構成される。
【００３５】
第８態様によれば、シアン、マゼンタ、イエロー、及び黒を用いた印刷データを、一種類以上の特色を含むインクジェット方式の画像形成データへの変換が可能となる。
【００３６】
第９態様は、第８態様に記載のカラープロファイル作成方法において、第１拡張色信号、及び第２拡張色信号は、オレンジを表すオレンジ信号、グリーンを表すグリーン信号、及びバイオレットを表すバイオレット信号の少なくともいずれかが含まれる。
【００３７】
第９態様によれば、シアン、マゼンタ、イエロー、及び黒を用いた印刷データを、オレンジ、グリーン、及びバイオレットの少なくともいずれかを含む特色を用いたインクジェット方式の画像形成データへの変換が可能となる。
【００３８】
第１０態様は、三種類以上の色数により構成される標準色インク、及び二種類以上の標準色インクを混合して得られる一種類以上の特色インクが用いられる画像形成であり、インクジェット方式による画像形成に適用されるカラープロファイルを作成するカラープロファイル作成プログラムであって、コンピュータを、標準色を表す第１標準色信号であり、インク総量制限条件が非適用の第１標準色信号から、インク総量制限条件が適用された第２標準色信号への変換関係を規定する第１テーブルを作成する第１テーブル作成手段、第１テーブルから出力される第２標準色信号から、第２標準色信号、及び複数の標準色信号が混合された特色信号を一種類以上含む第１拡張色信号であり、インク総量制限条件が適用された第１拡張色信号への変換関係を規定した第２テーブルを作成する第２テーブル作成手段、第２テーブルを用いて第２標準色信号を第１拡張色信号へ変換し、第１拡張色信号を第１拡張色信号に対応するデバイス非依存色空間における色信号へ変換することにより求められた、デバイス依存色空間における色信号からデバイス非依存色空間への変換関係に基づいて、第１拡張色信号のうち第２標準色信号に対応するデバイス非依存色空間における色信号から、デバイス依存色空間における色信号への変換関係を規定した第３テーブルを作成する第３テーブル作成手段、第３テーブルにより規定された変換関係、及び第２テーブルにより規定された変換関係を用いて、第１拡張色信号のうち第２標準色信号に対応するデバイス非依存色空間における色信号から、デバイス依存色空間における複数の標準色信号が混合された特色信号を一種類以上含む第２拡張色信号への変換関係を規定するカラープロファイルである第４テーブルを作成する第４テーブル作成手段、として機能させるカラープロファイル作成プログラムを提供する。
【００３９】
第１０態様によれば、第１態様と同様の効果を得ることができる。
【００４０】
第１０態様において、第２テーブル作成手段は、特色信号を構成する標準色信号の最大値を特色信号の最大値へ置き換える規則を作成する特色成分信号値置換規則作成手段を含む態様が好ましい。
【００４１】
第１０態様において、第２テーブル作成手段は、特色信号に置き換えられる複数の標準色信号の間の混合比率を取得する混合比率取得手段を含み、特色成分信号値置換規則作成手段は、取得された混合比率に基づいて複数の標準色信号を特色信号へ置き換える規則を作成する態様が好ましい。
【００４２】
第１０態様において、特色成分信号値置換規則作成手段は、彩度Ｓに対する複数の標準色信号の置換比率を規定する関数ｆ（Ｓ）を用いて複数の標準色信号を特色信号へ置き換える規則を作成する態様が好ましい。
【００４３】
第１０態様において、関数ｆ（Ｓ）は、予め決められた彩度以下の低彩度領域では、ｆ（Ｓ）＝０となる関数である態様が好ましい。
【００４４】
第１０態様において、特色成分信号値置換規則作成手段は、色相Ｈに対する複数の標準色信号の置換比率を規定する関数ｇ（Ｈ）を用いて複数の標準色信号を特色信号へ置き換える規則を作成する態様が好ましい。
【００４５】
第１０態様において、関数ｇ（Ｈ）は、予め決められた第１色相値以上第２色相値以下の領域では、ｇ（Ｈ）＝１となる関数である態様が好ましい。
【００４６】
第１０態様において、第１標準色信号、及び第２標準色信号は、シアンを表すシアン信号、マゼンタを表すマゼンタ信号、イエローを表すイエロー信号、及び黒を表す黒信号から構成される態様が好ましい。
【００４７】
第１０態様において、オレンジを表すオレンジ信号、グリーンを表すグリーン信号、及びバイオレットを表すバイオレット信号の少なくともいずれかが含まれる態様が好ましい。
【発明の効果】
【００４８】
本発明によれば、インク総量制限条件を満たさない領域における複雑な予測演算を行うことなく、インク総量制限条件が適用された標準色信号におけるデバイス非依存色空間からデバイス依存色空間への変換関係、及びインク総量制限条件が適用された標準色信号から、インク総量制限条件が適用された一種類以上の特色を含む拡張色信号への変換関係を用いて、一種類以上の特色を含む拡張色信号におけるデバイス非依存色空間からデバイス依存色空間への変換関係を規定したカラープロファイルを作成することができる。
【図面の簡単な説明】
【００４９】
【図１】図１は本発明の実施形態に係るカラープロファイル作成方法の流れを示すフローチャートである。
【図２】図２は第１テーブル作成工程の流れを示すフローチャートである。
【図３】図３は第２テーブル作成工程の流れを示すフローチャートである。
【図４】図４は信号値と濃度階調値との関係を示すグラフである。
【図５】図５はデバイス非依存色空間における標準色信号と特色信号との関係を示すグラフである。
【図６】図６は特色成分信号値置換の説明図である。
【図７】図７は彩度をパラメータとするマゼンタ信号値、及びイエロー信号値に対するオレンジ信号の置換比率を表す関数を示すグラフである。
【図８】図８は色相をパラメータとするマゼンタ信号値、及びイエロー信号値に対するオレンジ信号の置換比率を表す関数を示すグラフである。
【図９】図９は第３テーブル作成工程の流れを示すフローチャートである。
【図１０】図１０は第４テーブル作成工程の流れを示すフローチャートである。
【図１１】図１１はカラープロファイル作成システムの全体構成図である。
【図１２】図１２は第１テーブル作成部の説明図である。
【図１３】図１３は第２テーブル作成部の説明図である。
【図１４】図１４は第３テーブル作成部の説明図である。
【図１５】図１５は第４テーブル作成部の説明図である。
【発明を実施するための形態】
【００５０】
以下、添付図面に従って本発明の好ましい実施の形態について詳説する。
【００５１】
〔全体構成〕
図１は本発明の実施形態に係るカラープロファイル作成方法の流れを示すフローチャートである。
【００５２】
本実施形態に示すカラープロファイル作成方法は、三種類以上の色数により構成される標準色インクであるシアン、マゼンタ、イエロー、及び黒、及び二種類以上の標準色インクを混合して得られる特色であり、一種類以上の特色であるオレンジ、グリーン、及びバイオレットの七色のインクを使用可能に構成されたインクジェット方式の画像形成に適用されるカラープロファイルを作成するカラープロファイル作成方法である。
【００５３】
本実施形態に示すカラープロファイル作成方法により作成されたカラープロファイルは、シアン、マゼンタ、イエロー、及び黒の各色信号から構成される画像データを受け付けて、シアン、マゼンタ、イエロー、及び黒のインクを用いて画像を形成する四色モードと、シアン、マゼンタ、イエロー、及び黒の各色信号から構成される画像データを受け付け、シアン、マゼンタ、イエロー、黒、オレンジ、グリーン、及びバイオレットのインクを用いて画像を形成する七色モードと、を切り換え可能に構成された画像形成に適用することができる。
【００５４】
本実施形態に示すシアン、マゼンタ、イエロー、及び黒の各色信号から構成される画像データに代わり、レッド、グリーン、及びブルーの各色信号から構成される画像データを受け付ける場合にも、同様の考え方で対応することができる。
【００５５】
なお、本明細書では、シアン、マゼンタ、イエロー、及び黒のそれぞれを、英語表記の頭文字Ｃ、Ｍ、Ｙ、及びＫで表すことがある。また、シアン、マゼンタ、イエロー、及び黒を一括してＣＭＹＫと表すことがある。
【００５６】
オレンジ、グリーン、及びバイオレットのそれぞれを、英語表記の頭文字Ｏ、Ｇ、及びＶで表すことがある。また、オレンジ、グリーン、及びバイオレットを一括して、ＯＧＶと表すことがある。さらに、シアン、マゼンタ、イエロー、黒、オレンジ、グリーン、及びバイオレットを一括して、ＣＭＹＫＯＧＶと表すことがある。
【００５７】
レッド、グリーン、及びブルーのそれぞれを、英語表記の頭文字Ｒ、Ｇ、及びＢで表すことがある。また、レッド、グリーン、及びブルーを一括してＲＧＢと表すことがある。
【００５８】
標準色は、印刷物においてインクによる光の吸収を利用した減法混合により色を表現するＣＭＹＫ方式におけるＣＭＹＫ、及びデジタルカメラなどで撮影された画像、又はパソコンのディスプレイなどにおいて光源の発光を利用した加法混合により色を表現するＲＧＢ形式におけるＲＧＢを含む概念である。
【００５９】
特色は、ＲＧＢ形式における標準色ＲＧＢのうち任意の複数の色を混合して得られる色、又はＣＭＹＫ方式において、黒を除いた標準色ＣＭＹのうち任意の複数の色を混合して得られる色である。混合される色間の混合比率は特色の色彩、明度等の条件に応じて決められる。
【００６０】
本明細書では、マゼンタとイエローとを混合して得られるオレンジ、シアンとイエローとを混合して得られるグリーン、及びシアンとマゼンタとを混合して得られるバイオレットが用いられる場合について説明する。
【００６１】
図１に示すように、本実施形態に示すカラープロファイル作成方法は、第１テーブル作成工程Ｓ１２、第２テーブル作成工程Ｓ１４、第３テーブル作成工程Ｓ１６、及び第４テーブル作成工程Ｓ１８を含んで構成される。
【００６２】
すなわち、本実施形態ではカラープロファイルとして、デバイス非依存色空間におけるＣＭＹＫ信号からデバイス依存色空間におけるＣＭＹＫＯＧＶ信号への変換関係を規定したルックアップテーブルを作成する態様を例示する。なお、以下の説明において、ルックアップテーブルをテーブルと記載することがある。
【００６３】
［第１テーブル作成］
図２は第１テーブル作成工程の流れを示すフローチャートである。第１テーブルは、インク総量制限条件が非適用のＣＭＹＫ信号からインク総量制限条件が適用されたＣＭＹＫ信号への変換関係を規定したテーブルである。
【００６４】
インク総量制限条件が非適用のＣＭＹＫ信号は第１標準色信号に対応している。インク総量制限条件が適用されたＣＭＹＫ信号はインク総量制限条件が適用された第２標準色信号に対応している。
【００６５】
図２において、図１と同一の部分には同一の符号を付し、その説明を適宜省略する。図３以降の図についても、先に説明した構成と同一の部分には同一の符号を付し、その説明を適宜省略する。
【００６６】
図２に示すように、第１テーブルの作成には、インク総量上限値１０２と、信号値をインク量に変換する信号値インク量変換関数１０４、及びインク量を信号値に変換するインク量信号値変換関数１０６が用いられる。
【００６７】
インク総量上限値１０２は、媒体の種類やインクの種類などに基づき、予め決められている。
【００６８】
信号値インク量変換関数１０４は、信号値に対するインク量を規定する関数である。例えば、０パーセントから１００パーセントで表される信号値に対して、０ピコリットルから５ピコリットルのインク量が割り当てられる。
【００６９】
インク量信号値変換関数１０６は、インク量に対する信号値を規定する関数である。インク量信号値変換関数１０６と信号値インク量変換関数１０４とは、順変換と逆変換の関係である。
【００７０】
なお、本実施形態は、各色の信号値を百分率で表す態様を例示したが、各色の信号値を整数、小数等により表してもよい。
【００７１】
第１テーブル作成工程Ｓ１０８では、第１テーブル１０８の作成が行われる。第１テーブル１０８は、インク総量制限条件が非適用のＣＭＹＫ信号を、インク総量制限条件が適用されたＣＭＹＫ信号に変換する四次元変換ルックアップテーブルである。以下の説明において、インク総量制限条件が非適用のＣＭＹＫ信号をシアン信号Ｃ、マゼンタ信号Ｍ、イエロー信号Ｙ、及び黒信号Ｋと記載し、インク総量制限条件が適用されたＣＭＹＫ信号をシアン信号Ｃ１、マゼンタ信号Ｍ１、イエロー信号Ｙ１、及び黒信号Ｋ１と記載することがある。
【００７２】
第１テーブル１０８の作成例として、インク総量上限値を色再現領域の境界に割り当てて、色再現領域全体のインク総量条件を決める方法が挙げられる。第１テーブル１０８が作成されると、第１テーブル記憶工程Ｓ１１０において、第１テーブル１０８が記憶される。
【００７３】
［第２テーブルの作成］
図３は第２テーブル作成工程の流れを示すフローチャートである。第２テーブル２０２はインク総量制限条件が適用されたＣＭＹＫ信号を、インク総量制限条件が適用されたＣＭＹＫＯＧＶ信号に変換する変換テーブルである。
【００７４】
すなわち、第２テーブル２０２は、インク総量制限条件が適用されたＣＭＹＫ信号から、インク総量制限条件が適用された特色を含むＣＭＹＫＯＧＶ信号への変換関係を規定している。
【００７５】
インク総量制限条件が適用された特色を含むＣＭＹＫＯＧＶ信号は、複数の標準色信号が混合された特色信号を一種類以上含む第１拡張色信号であり、インク総量制限条件が適用された第１拡張信号に対応している。
【００７６】
第２テーブル２０２の作成は、濃度階調決定工程Ｓ２０２、混合比率取得工程Ｓ２０４、特色成分信号値置換規則作成工程Ｓ２０６、第２テーブル記憶工程Ｓ２１０を含んで構成される。
【００７７】
濃度階調決定工程Ｓ２０２では、特色について信号値と濃度階調値との関係が規定される。混合比率取得工程Ｓ２０４では、特色と特色を構成する標準色との混合比率２００が取得される。混合比率２００は予め決められている。
【００７８】
特色成分信号値置換規則作成工程Ｓ２０６では、特色成分を特色の信号値へ置き換える規則を作成する。第２テーブル記憶工程Ｓ２１０は、作成された第２テーブル２０２が記憶される。
【００７９】
図３に示した濃度階調決定工程Ｓ２０２は、特色における信号値と濃度階調値との関係を決定する。以下に、オレンジ信号について説明する。
【００８０】
図４はオレンジ信号Ｏ１とオレンジインクの濃度階調値ＤＯとの関係を示すグラフである。図４の横系列はオレンジ信号Ｏ１である。オレンジ信号Ｏ１は０パーセントから１００パーセントで表される。図４の縦系列はオレンジインクの濃度階調値ＤＯである。オレンジインクの濃度階調値ＤＯは、８ビットデジタルデータの場合に０から２５５の数値で表される。
【００８１】
図４に示したＤＭＡＸ＿Ｏはオレンジインクの最大濃度階調値である。オレンジインクの最大濃度階調値ＤＭＡＸ＿Ｏは予め決められている。図４に示すように、オレンジ信号Ｏ１の増加に対する濃度階調値ＤＯの増加の比率が十分に小さくなり、オレンジ信号Ｏ１を増加させても濃度階調値ＤＯの増加がみられなくなるオレンジ信号Ｏ１を１００パーセントとして、１００パーセントのオレンジ信号Ｏ１に対して最大濃度階調値ＤＭＡＸ＿Ｏを割り当てる。
【００８２】
図示を省略するが、グリーンインクについても、オレンジインクと同様にグリーン信号Ｇ１とグリーンインクの濃度階調値ＤＧとの関係が決められる。さらに、バイオレットインクについても、オレンジインクと同様にバイオレット信号Ｖ１とバイオレットインクの濃度階調値ＤＶとの関係が決められる。
【００８３】
図３に示した混合比率取得工程Ｓ２０４は、特色信号を構成する複数の標準色信号の構成比率を取得する。特色信号を構成する複数の標準色信号の構成比率は予め決められている。
【００８４】
すなわち、特色信号と特色信号を構成する複数の標準色信号を混合した混合信号が同じ色相になる、複数の標準色信号の混合比率が取得される。
【００８５】
図５は、デバイス非依存色空間におけるオレンジ信号Ｏ１、及びオレンジ信号Ｏ１に対応する混合色信号を示す。オレンジ信号Ｏ１に対応する混合色信号はマゼンタ信号Ｍ１、イエロー信号Ｙ１から構成される混合色信号である。図５には、Ｌ＊ａ＊ｂ＊色空間におけるａ＊−ｂ＊平面を示す。図５における紙面を貫く方向がＬａｂ色空間におけるＬ方向である。
【００８６】
Ｌ＊ａ＊ｂ＊色空間は、補色空間の一種で、明度を意味する次元Ｌ＊、補色次元ａ＊、及びｂ＊を持つ。Ｌ＊＝０は黒、Ｌ＊＝１００は白の拡散色を表す。ａ＊は赤又はマゼンタと緑との間の位置を表す。
【００８７】
ａ＊の負の値は緑寄り、ａ＊の正の値は赤又はマゼンタ寄りに対応している。ｂ＊は黄色と青の間の位置を表す、ｂ＊の負の値は青寄り、ｂ＊の正の値は黄色寄りに対応している。
【００８８】
なお、図５ではＬ＊ａ＊ｂ＊色空間におけるａ＊−ｂ＊平面を例示したが、ＸＹＺ色空間を適用してもよい。以下の説明において、Ｌ＊ａ＊ｂ＊色空間における座標は、Ｌａｂ値、又はＬ値、ａ値、ｂ値と記載する。
【００８９】
図５に符号２１０を付した実線の曲線はａ＊−ｂ＊平面上におけるオレンジ信号Ｏ１の軌跡である。図５に符号２１２を付した破線は、ａ＊−ｂ＊平面上におけるオレンジ信号Ｏ１の軌跡に対応する、マゼンタ信号Ｍ１とイエロー信号Ｙ１との混合色信号の軌跡である。
【００９０】
また、図５に符号２１４を付して、オレンジの最大濃度階調値ＤＭＡＸ＿Ｏに対応するオレンジ信号Ｏ１の最大値を示す。図５に符号２１６を付して、マゼンタ信号Ｍ１とイエロー信号Ｙ１との混合色信号の最大値を示す。
【００９１】
オレンジ信号と同一の色相になるマゼンタ信号とイエロー信号との混合色信号における、マゼンタ信号とイエロー信号との混合比率をオレンジ成分と定義する。同様に、グリーン信号と同じ色相になるシアン信号とイエロー信号との混合比率をグリーン成分と定義する。バイオレット信号と同じ色相になるシアン信号とマゼンタ信号との混合比率をバイオレット成分と定義する。
【００９２】
なお、以下の説明において、オレンジ成分、グリーン成分、及びバイオレット成分を総称して、特色成分と記載することがある。
【００９３】
図３に示した特色成分信号値置換規則作成工程Ｓ２０６では、予め決められている特色成分に基づいて、特色信号と、特色信号に置き換えられる標準色信号との置換規則が作成される。
【００９４】
換言すると、特色成分信号値置換規則作成工程Ｓ２０６では、標準色インクを特色インクへ置き換える際の、特色成分に基づいて決められた複数種類の標準色インクの総量と、特色インクの量との関係が決められる。
【００９５】
図６は特色成分信号値置換の説明図である。図６の横系列は特色の信号値に置き換えられる標準色の信号値である。図６には上側にマゼンタ信号Ｍ１を示し、下側にイエロー信号Ｙ１を示す。図６の縦系列は特色の信号値である。図６にはオレンジ信号Ｏ１を示す。
【００９６】
マゼンタ信号Ｍ１の最大値Ｍ１ＭＡＸ、及びイエロー信号Ｙ１の最大値Ｙ１ＭＡＸに対応するオレンジ信号Ｏ１の最大値をＯ１ＭＡＸとする。オレンジ信号Ｏ１の最大値Ｏ１ＭＡＸは、図４に示したオレンジインクの濃度階調値ＤＯの最大濃度階調値ＤＭＡＸ＿Ｏに対応している。
【００９７】
図示を省略するが、図３に示した特色成分信号値置換規則作成工程Ｓ２０６では、グリーン信号Ｇ１と、シアン信号値Ｃ１、及びイエロー信号Ｙ１との置換関係が決められる。さらに、バイオレット信号Ｖ１と、シアン信号値Ｃ１、及びマゼンタ信号Ｍ１との置換規則が作成される。
【００９８】
特色成分信号値置換規則作成工程Ｓ２０６では、標準色インクを特色インクへ置き換える際に、標準色インクの混合色を保存する置換規則を作成する必要はなく、インク総量制限条件が適用された標準色インク総量の最大値が、インク総量制限条件が適用された特色インクの最大濃度値に割り当てられる、標準色信号と特色信号との変換関係が成立する置換規則を作成すればよい。
【００９９】
換言すると、図５に示したオレンジ信号Ｏ１の最大値２１４に対応する、図４に示したオレンジインクの最大濃度階調値ＤＭＡＸ＿Ｏに対して、図５に示したマゼンタ信号Ｍ１とイエロー信号Ｙ１との混合色信号の最大値２１６が割り当てられればよい。
【０１００】
二種類以上の標準色インクを混合した場合の特色よりも、特色インクを用いた特色の方が、濃度が濃く、かつ、鮮明な色を再現することができる。二種類以上の標準色インクの総量の最大値を特色インクの最大濃度値に割り当てて、二種類以上の標準色インクを特色インクへ置き換えることで、特色インクの色再現領域を最大限に活用することができる。
【０１０１】
標準色信号から特色信号への置換は、以下の式（１）を満たす態様が好ましい。式（１）では、オレンジ信号Ｏ１を彩度Ｓ、色相Ｈの関数として定義している。
Ｏ１（Ｓ、Ｈ、Ｍ１、Ｙ１）＝ｆ（Ｓ）×ｇ（Ｈ）×ｈ（Ｍ１、Ｙ１）  …（１）
【０１０２】
式（１）において、ｆ（Ｓ）は彩度Ｓをパラメータとするマゼンタ信号Ｍ１、及びイエロー信号Ｙ１に対する置換比率を表す関数である。ｇ（Ｈ）は色相Ｈをパラメータとするマゼンタ信号Ｍ１、及びイエロー信号Ｙ１に対する置換比率を表す関数である。
【０１０３】
ｈ（Ｍ１、Ｙ１）はマゼンタ信号Ｍ１、及びイエロー信号Ｙ１からオレンジ信号Ｏ１への置換量を表す関数である。
【０１０４】
なお、式（１）に示した置換条件は一例であり、明度を表すＬ値に応じて置換比率を変える態様も可能である。すなわち、Ｌ値をパラメータとするマゼンタ信号Ｍ１、及びイエロー信号Ｙ１に対する置換比率を表す関数を定義し、この関数を用いた置換条件を適用することが可能である。
【０１０５】
図７は彩度Ｓをパラメータとするマゼンタ信号Ｍ１、及びイエロー信号Ｙ１に対するオレンジ信号Ｏ１の置換比率を表す関数を示すグラフである。図７における横系列は彩度Ｓである。縦系列は関数ｆ（Ｓ）である。
【０１０６】
図７に示すように、彩度Ｓが０以上Ｓ１以下の場合、すなわち、予め決められた彩度以下の低彩度領域は置換比率ｆ（Ｓ）＝０として、マゼンタ信号Ｍ１、及びイエロー信号Ｙ１からオレンジ信号Ｏ１への置き換えを行わず、オレンジにはマゼンタ信号Ｍ１とイエロー信号Ｙ１との混合色信号が用いられる。
【０１０７】
彩度の値がＳ１を超えＳ２未満の場合は彩度Ｓの増加に従い置換比率ｆ（Ｓ）が増加する。彩度の値がＳ３を超える高彩度領域は置換比率ｆ（Ｓ）＝１とし、オレンジ信号Ｏ１のみを使用する。
【０１０８】
すなわち、相対的に彩度Ｓの値が高い高彩度領域は、オレンジインクが使用され、特色インクであるオレンジインクの高い色再現性が活用される。一方、相対的に彩度Ｓの値が低い低彩度領域、すなわち、中間階調領域では、マゼンタインク、及びイエローインクを使用することで、標準色インクの組み合わせによる色表現の色バランスを用いて中間階調を再現でき、中間階調における修正が必要となった場合に、マゼンタインク、及びイエローインクの調整で対応することができ、調整における操作性がよくなる。
【０１０９】
図８は色相をパラメータとするマゼンタ信号Ｍ１、及びイエロー信号Ｙ１に対するオレンジ信号の置換比率を表す関数を示すグラフである。図８における横系列は色相Ｈである。縦系列は関数ｇ（Ｈ）である。
【０１１０】
図８に示す例では、色相Ｈが０以上Ｈ１未満の場合は置換比率g（Ｈ）を０とし、マゼンタインク、及びイエローインクからオレンジインクへの置き換えを行わず、マゼンタインク、及びイエローインクがオレンジに用いられる。
【０１１１】
色相の値がＨ１以上Ｈ２未満の場合は色相Ｈの値の増加に従い置換比率g（Ｈ）が増加する。色相の値がＨ２以上Ｈ３以下の場合、すなわち、第１色相値以上第２色相値以下の場合は、置換比率g（Ｈ）を１とし、オレンジインクのみが用いられる。色相の値がＨ３を超えＨ４以下の場合は色相Ｈの値の増加に従い置換比率g（Ｈ）が減少する。色相の値がＨ４を超える場合は置換比率g（Ｈ）を０とし、マゼンタインク、及びイエローインクからオレンジインクへの置き換えを行わず、マゼンタインク、及びイエローインクが用いられる。
【０１１２】
標準色インクを特色インクへ置き換えると、二色分のインクを一色分のインクへ置き換えるので、通常はインクの置き換えによるインク総量の増加は起こらない。しかし、オレンジインクのインク総量がマゼンタインク、及びイエローインクの総量を超えてしまう場合は、オレンジインクを使用した場合のインク総量がインク総量上限値を超えているか否かを確認する。
【０１１３】
仮に、オレンジインクを使用した場合のインク総量がインク総量上限値を超えている場合は、オレンジインクの一部をマゼンタインク、及びイエローインクに戻し、インク総量がインク総量上限値を超えない範囲で、各色の信号値が決められる。
【０１１４】
以上、オレンジインクについて説明したが、グリーンインク、バイオレットインクについても同様である。
【０１１５】
なお、式（１）に示した関数ｆ（Ｓ）、関数ｇ（Ｈ）は、適宜省略をすることができる。すなわち、特色成分信号値置換規則作成工程Ｓ２０６は、式（１）に示した関数ｆ（Ｓ）、関数ｇ（Ｈ）で表される置換比率を取得する置換比率取得工程が含まれる。
【０１１６】
［第３テーブルの作成］
図９は第３テーブル作成工程の流れを示すフローチャートである。第３テーブル３００は、インク総量制限条件が適用されたＣＭＹＫ信号に対応するデバイス非依存色空間における色信号から、デバイス依存色空間における色信号であるＣＭＹＫ信号への変換関係を規定したテーブルである。
【０１１７】
インク総量制限条件が適用されたＣＭＹＫ信号に対応するデバイス非依存色空間における色信号は、第１拡張色信号のうち第２標準色信号に対応するデバイス非依存色空間における色信号に対応している。
【０１１８】
まず、チャート作成工程Ｓ３０２において、インク総量制限条件が適用されたＣＭＹＫＯＧＶチャートが作成される。インク総量制限条件が適用されたＣＭＹＫＯＧＶチャートは１０００から２０００程度の数のカラーパッチから構成される。
【０１１９】
各カラーパッチが表す色は、ＣＭＹＫＯＧＶ色空間における離散的な座標に対応している。例えば、ＣＭＹＫＯＧＶ各軸について６個の格子点が設定されると、６４＋６３＝１５１２個のパッチが作成される。
【０１２０】
本実施形態では、インク総量制限条件が適用されたＣＭＹＫ信号に対応するＣＭＹＫチャート、及び図３に示した第２テーブル２０２を用いて、インク総量制限条件が適用されたＣＭＹＫＯＧＶチャートを作成する。
【０１２１】
次に、チャート印刷工程Ｓ３０４において、インク総量制限条件が適用されたＣＭＹＫＯＧＶチャートが印刷される。印刷されたインク総量制限条件が適用されたＣＭＹＫＯＧＶチャートは測色工程Ｓ３０６において測色される。
【０１２２】
印刷されたＣＭＹＫＯＧＶチャートの測色は、分光光度計などの測色計が用いられる。測色計の測定値は色度値に変換される。色度値の例としてＬ＊ａ＊ｂ＊色空間におけるＬａｂ値、又はＬａｂ色空間におけるＬａｂ値が挙げられる。
【０１２３】
すなわち、測色工程Ｓ３０６では、ＣＭＹＫＯＧＶチャートにおける各パッチが表す色度値が取得される。
【０１２４】
第３テーブル作成工程Ｓ３０８では、まず、ＣＭＹＫＯＧＶチャートの各パッチが表すＣＭＹＫＯＧＶ信号からＬａｂ値への変換関係を示す順変換テーブルが作成される。そして、ＣＭＹＫチャートの各パッチが表すＣＭＹＫ信号からＬａｂ値への変換関係から、逆変換演算を用いてＬａｂ値からＣＭＹＫ信号への変換関係を示す第３テーブルが作成される。
【０１２５】
逆変換演算では、探索演算を用いて、第３テーブルの入力となる、離散的なＬａｂ値の組み合わせに対応する、第３テーブルの出力となるＣＭＹＫ信号が求められる。探索演算では、Ｌ値に対して黒信号Ｋ１の関係を決めるなどの束縛条件が決められる。
【０１２６】
逆変換演算によって、三次元のＬａｂ値から四次元のＣＭＹＫ信号が求められる。標準色としてレッド、グリーン、ブルーが適用される場合は、三次元のＬａｂ値から三次元のＲＧＢ信号値が求められる。
【０１２７】
すなわち、図９に示す第３テーブル３００は、Ｌ＊ａ＊ｂ＊色空間におけるＬａｂ値からＣＭＹＫ色空間におけるＣＭＹＫ信号への変換関係が規定されたカラープロファイルである。
【０１２８】
第３テーブル作成工程Ｓ３０８により第３テーブル３００が作成されると、第３テーブル記憶工程Ｓ３１０において、第３テーブル３００が記憶され、図１に示した第３テーブル作成工程Ｓ１６は終了される。
【０１２９】
［第４テーブルの作成］
図１０は第４テーブル作成工程の流れを示すフローチャートである。図１に示す第４テーブル作成工程Ｓ１８が開始されると、第４テーブル作成工程Ｓ４０２において、図９に示した第３テーブル３００に規定されたＬａｂ値からＣＭＹＫ信号への変換関係、及び図３に示した第２テーブル２０２に規定されたＣＭＹＫ信号からＣＭＹＫＯＧＶ信号への変換関係を用いて、Ｌａｂ値からＣＭＹＫＯＧＶ信号への変換関係を規定したカラープロファイルである第４テーブル４００が作成される。
【０１３０】
例えば、図９に示した第３テーブル３００、及び図３に示した第２テーブル２０２を合成して第４テーブル４００が作成される。
【０１３１】
第４テーブル作成工程Ｓ４０２において、第４テーブル４００が作成されると、第４テーブル記憶工程Ｓ４０４において、第４テーブル４００が記憶され、図１に示した第４テーブル作成工程Ｓ１８は終了される。
【０１３２】
Ｌａｂ値は、第１拡張色信号のうち第２標準色信号に対応するデバイス非依存色空間における色信号に対応する。
【０１３３】
Ｌａｂ値からＣＭＹＫ信号への変換関係を示す第３テーブルは、第１拡張色信号のうち第２標準色信号に対応するデバイス非依存色空間における色信号からデバイス依存色空間における第２拡張色信号へ変換する変換関係を規定するカラープロファイルである第４テーブルに対応している。
【０１３４】
上記の如く構成されたカラープロファイル作成方法によれば、デバイス非依存色空間の信号値からデバイス依存色空間の信号値への変換関係を規定した第３テーブル、及びインク総量制限が適用されたＣＭＹＫ信号からインク総量制限が適用されたＣＭＹＫＯＧＶ信号への変換関係が規定された第２テーブルを用いて、インク総量制限が適用されたＣＭＹＫ信号に対応するデバイス非依存色空間におけるＬａｂ値から、デバイス依存色空間におけるインク総量制限が適用されたＣＭＹＫＯＧＶ信号への変換関係が規定される第４テーブルが作成されるので、インク総量制限が適用されたＣＭＹＫＯＧＶ信号についてカラープロファイルを作成するにあたり、インク総量制限条件を満たさない領域のＬａｂを予測するといった複雑な演算を行う必要がない。
【０１３５】
〔カラープロファイル作成システムの説明〕
次に、図１から図１０を用いて説明したカラープロファイル作成方法が適用されるカラープロファイル作成システムについて説明する。
【０１３６】
［全体構成］
図１１はカラープロファイル作成システムの全体構成図である。図１１に示したカラープロファイル作成システム５００は、図１に示した第１テーブル作成工程Ｓ１２に対応し、第１テーブル作成手段として機能する第１テーブル作成部５０２を備えている。
【０１３７】
図１１に示したカラープロファイル作成システム５００は、図１に示した第２テーブル作成工程Ｓ１４に対応し、第２テーブル作成手段として機能する第２テーブル作成部５０４を備えている。
【０１３８】
図１１に示したカラープロファイル作成システム５００は、図１に示した第３テーブル作成工程Ｓ１６に対応し、第３テーブル作成手段として機能する第３テーブル作成部５０６を備えている。
【０１３９】
図１１に示したカラープロファイル作成システム５００は、図１に示した第４テーブル作成工程Ｓ１８に対応し、第４テーブル作成手段として機能する第４テーブル作成部５０８を備えている。
【０１４０】
また、図１１に示したカラープロファイル作成システム５００は、システム各部の統括な制御を行うシステム制御部５１０、及びテーブル記憶部５１２を備えている。図１１に示したテーブル記憶部５１２は、図２に示した第１テーブル１０８、図３に示した第２テーブル２０２、図９に示した第３テーブル３００、及び図１０に示した第４テーブル４００が記憶される。
【０１４１】
テーブル記憶部５１２は、図２に示した第１テーブル１０８が記憶される第１テーブル記憶部、図３に示した第２テーブル２０２が記憶される第２テーブル記憶部、図９に示した第３テーブル３００が記憶される第３テーブル記憶部、及び図１０に示した第４テーブル４００が記憶される第４テーブル記憶部から構成してもよい。
【０１４２】
図１１に示したインク総量上限値取得部５１４は、第１テーブル作成部５０２により使用されるインク総量上限値を取得する。取得されたインク総量上限値が記憶されるインク総量上限値記憶部を備えてもよい。
【０１４３】
コンバータ取得部５１６は、第１テーブル作成部５０２によって使用される信号値インク量コンバータ１０４、及びインク量信号値コンバータ１０６を取得する。信号値インク量コンバータ１０４、及びインク量信号値コンバータ１０６は図２に図示されている。
【０１４４】
図１１に示したカラープロファイル作成システム５００は、信号値インク量コンバータ１０４、及びインク量信号値コンバータ１０６が記憶されるコンバータ記憶部を備えてもよい。
【０１４５】
混合比率取得部５１８は図３に示した混合比率２００を取得する。取得した混合比率２００を記憶する混合比率記憶部を備えてもよい。
【０１４６】
チャート作成部５２０は図１１に示したテーブル記憶部５１２に記憶される第２テーブル２０２を参照して、インク総量制限がされたＣＭＹＫＯＧＶ信号に対応するパッチから構成されるチャートを作成する。
【０１４７】
測色データ取得部５２２は第３テーブル作成部５０６によって使用されるチャートを構成する各パッチのＬａｂ値を測色データとして取得する。測色データは、ＣＭＹＫＯＧＶ信号に対応するＬａｂ値が含まれている。
【０１４８】
図１２は図１１に示した第１テーブル作成部５０２の説明図である。第１テーブル作成部５０２は、インク総量上限値１０２、信号値インク量コンバータ１０４、インク量信号値コンバータ１０６を用いて、インク総量の制限がされていないＣＭＹＫ信号１０７をインク総量の制限がされたＣＭＹＫ信号へ変換する変換関係を規定した第１テーブル１０
８を作成する。
【０１４９】
［第２テーブル作成部の説明］
図１３は図１１に示した第２テーブル作成部５０４の説明図である。第２テーブル作成部５０４は、第１テーブル１０８、混合比率２００、及びインク総量制限条件が適用されたＣＭＹＫ信号１０９を用いて、インク総量制限条件が適用されたＣＭＹＫ信号１０９をインク総量制限条件が適用されたＯＧＶ信号へ変換する変換関係を規定した第２テーブル２０２を作成する。
【０１５０】
第２テーブル作成部５０４は、彩度Ｓをパラメータとするマゼンタ信号Ｍ１、及びイエロー信号Ｙ１に対する置換比率を表す関数、ｆ（Ｓ）、色相Ｈをパラメータとするマゼンタ信号Ｍ１、及びイエロー信号Ｙ１に対する置換比率を表す関数ｇ（Ｈ）、及びマゼンタ信号Ｍ１、及びイエロー信号Ｙ１からオレンジ信号Ｏ１への置換量を表す関数ｈ（Ｍ１、Ｙ１）を参照することが可能である。
【０１５１】
［第３テーブル作成部の説明］
図１４は図１１に示した第３テーブル作成部５０６の説明図である。第３テーブル作成部５０６は、Ｌａｂ値からＣＭＹＫ信号への変換関係を規定した第３テーブルを作成する。
【０１５２】
第３テーブル３００の作成には、測色対象のＣＭＹＫＯＧＶチャートが表しているＣＭＹＫＯＧＶ信号、及びＣＭＹＫＯＧＶチャートを測色して得られたＬａｂ値が用いられる。
【０１５３】
測色対象のＣＭＹＫＯＧＶチャートは、予め作成されているＣＭＹＫチャート６００を利用してチャート作成部５２０において作成される。ＣＭＹＫチャート６００を利用してＣＭＹＫＯＧＶチャートを作成する際に第２テーブル２０２が用いられる。
【０１５４】
ＣＭＹＫＯＧＶ各色の描画部を含む描画部６０２は、ＣＭＹＫＯＧＶチャート印刷物６０４を描画する。ＣＭＹＫＯＧＶチャート印刷物６０４を測色して、ＣＭＹＫＯＧＶチャートに対応するＬａｂ値６０８を取得する。
【０１５５】
そして、ＣＭＹＫチャート６００に対応するＬａｂ値からＣＭＹＫ信号への変換関係を規定した第３テーブル３００が作成される。
【０１５６】
［第４テーブル作成部の説明］
図１５は図１１に示した第４テーブル作成部の説明図である。第４テーブル作成部５０８はＬａｂ値からＣＭＹＫ信号への変換関係を規定した第３テーブル３００と、ＣＭＹＫ信号からＯＧＶ信号への変換関係を規定した第２テーブル２０２とを結合させて、Ｌａｂ値からＣＭＹＫＯＧＶ信号への変換関係を規定した第４テーブル４００を作成する。
【０１５７】
以上説明したカラープロファイル作成システムは、コンピュータを構成するハードウエアを用いて実現することができる。図１１に示した第１テーブル作成部５０２、第２テーブル作成部５０４、第３テーブル作成部５０６、第４テーブル作成部５０８、システム制御部５１０、及びチャート作成部５２０は、各種演算を実行する演算装置を適用することができる。
【０１５８】
また、テーブル記憶部５１２は、各種情報が記憶される記憶装置を適用することができる。インク総量上限値取得部５１４、コンバータ取得部５１６、混合比率取得部５１８、及び測色データ取得部５２２は、データの入出力管理を行う入出力装置を適用することができる。
【０１５９】
〔カラープロファイル作成プログラムの説明〕
図１から図１０を用いて説明したカラープロファイル作成方法、及び図１１に示したカラープロファイル作成システムに対応するカラープロファイル作成プログラムを構成することが可能である。
【０１６０】
すなわち、コンピュータを、第１テーブル作成手段として機能する第１テーブル作成部５０２、第２テーブル作成手段として機能する第２テーブル作成部５０４、第３テーブル作成手段として機能する第３テーブル作成部５０６、及び第４テーブル作成手段として機能する第４テーブル作成部５０８、として機能させるカラープロファイル作成プログラムを構成することが可能である。
【０１６１】
〔ＩＣＣプロファイルへの適用例〕
ＩＣＣプロファイルは国際標準のプロファイルの型であり、主に、デバイス依存色空間における信号からデバイス非依存色空間における信号への変換に用いられるルックアップテーブルであるＡ２Ｂ、及びデバイス非依存色空間における信号からデバイス依存色空間における信号への変換に用いられるルックアップテーブルであるＢ２Ａから構成される。
【０１６２】
ＣＭＹＫ信号をＬａｂ値へ変換するルックアップテーブルをＡ２Ｂとし、Ｌａｂ値をＣＭＹＫＯＧＶ信号へ変換する第４テーブルをＢ２Ａとすると、以下の利点がある。
【０１６３】
印刷向けのページデータを作成する場合、特に、商品の包装に使用されるパッケージの印刷分野では、パッケージの色を鮮やかにする目的で、背景領域やロゴ領域など、濃度が高く、かつ、単一色が使用される領域には、オレンジインク、グリーンインク、又はバイオレットインクなどの特色インクが使用されることがある。
【０１６４】
一方、写真領域やイラスト領域など、主として中間濃度が使用される領域、又は主として混合色が使用される領域には、標準色インクであるＣＭＹＫインクやＲＧＢインクが使用される。
【０１６５】
背景領域やロゴ領域など、濃度が高く、かつ、単一色が使用される領域と、写真領域やイラスト領域など、主として中間濃度が使用される領域、又は主として混合色が使用される領域が混在する画像を印刷する場合、背景領域やロゴ領域など、濃度が高く、かつ、単一色が使用される領域は特色インクを使用し、写真領域やイラスト領域など、主として中間濃度が使用される領域、又は主として混合色が使用される領域は標準色インクを使用すると、印刷物の色と色見本が異なる場合の色の修正が容易となる。
【０１６６】
標準色インクが用いられる領域は、標準色信号の修正技術、例えば、トーンカーブを用いた修正技術をそのまま適用することが可能である。一方、特色インクが用いられる領域には、トーンカーブを用いた修正技術など標準色信号の修正技術をそのまま適用することが困難であり、色への修正が困難となる。
【０１６７】
他方、背景領域やロゴ領域など、濃度が高く、かつ、単一色が使用される領域を、単一の特色で構成することにより、特色インクが用いられる領域は、Ｌａｂ値からＣＭＹＫＯＧＶ信号への変換関係を規定したルックアップテーブルの入力値であるＬａｂ値の修正によって特色の修正が可能である。
【０１６８】
すなわち、特色信号を使用せずに標準色信号が使用されるＣＭＹＫ画像、又はＲＧＢ画像は、ＩＣＣプロファイルにおけるＡ２Ｂ側のＣＭＹＫ値からＬａｂ値への変換関係の情報を使用して、ＣＭＹＫ値からＬａｂ値への変換関係の逆変換で求められたＬａｂ値からＣＭＹＫ値への変換関係を使用し、特色信号が使用される特色画像は、特色パッチの測色値に基づくＬａｂ値からＣＭＹＫＯＧＶ値への変換関係の情報を使用することで、特色インクが用いられる領域、及び標準色インクが用いられる領域のいずれも色の修正を容易に行うことが可能である。
【０１６９】
本実施形態では、四色の標準色から特色を含む七色のカラープロファイルを作成する態様を例示したが、三色の標準色に基づくカラープロファイルを作成する態様も可能である。また、変換後の色数は少なくとも一色の特色を含み、標準色の色数を超える色数
であればよい。
【０１７０】
例えば、ＲＧＢ信号値からＣＭＹＫＯＧＶ信号への変換を行う際に用いられるカラープロファイルを作成してもよいし、ＣＭＹＫ信号からＣＭＹＫＯＧ信号値への変換を行う際に用いられるカラープロファイルを作成してもよい。
【０１７１】
以上説明したカラープロファイル作成方法、及びカラープロファイル作成プログラムは、本発明の趣旨を逸脱しない範囲で、適宜変更、追加、削除をすることが可能である。また、上述した各実施形態を適宜組み合わせることも可能である。
【符号の説明】
【０１７２】
１０２…インク総量上限値、１０４…信号値インク量コンバータ、１０６…インク量信号値コンバータ、１０８…第１テーブル、２００…混合比率、２０２…第２テーブル、３００…第３テーブル、４００…第４テーブル、５０２…第１テーブル作成部、５０４…第２テーブル作成部、５０６…第３テーブル作成部、５０８…第４テーブル作成部
【図１】
0006275058.tif 000002
【図２】
0006275058.tif 000003
【図３】
0006275058.tif 000004
【図４】
0006275058.tif 000005
【図５】
0006275058.tif 000006
【図６】
0006275058.tif 000007
【図７】
0006275058.tif 000008
【図８】
0006275058.tif 000009
【図９】
0006275058.tif 000010
【図１０】
0006275058.tif 000011
【図１１】
0006275058.tif 000012
【図１２】
0006275058.tif 000013
【図１３】
0006275058.tif 000014
【図１４】
0006275058.tif 000015
【図１５】
0006275058.tif 000016